(57)【要約】【課題】  発光部に半導体利用の発光体を使用することで、必要な光の波長を使用し、省電力を実現するとともに、高速点滅を可能にし、装置の小型化と信頼性の向上と、魚類忌避装置の効果を高めることを課題とする。【解決手段】  発光部に半導体利用の発光体を少なくとも１つ設け、この発光部を制御装置等により特定の周期で点滅させた魚類忌避装置である。発光部の光を導光材から放射させた魚類忌避装置である。基本的な構成は次の４つである。１．発光部と制御装置で構成される。２．発光部と制御装置及び電源で構成される。３．発光部と導光材と制御装置で構成される。４．発光部と導光材と制御装置及び電源で構成される。【選択図】  図１
2005210958.tif 000002
【特許請求の範囲】
【請求項１】
半導体利用の発光体を少なくとも一つ設けた発光部が、特定の周期で点滅することを特長とする魚類忌避装置。
【請求項２】
請求項１に記載の魚類忌避装置において、導光材を使用した魚類忌避装
【発明の詳細な説明】
【技術分野】
【０００１】
本発明は、半導体を利用した発光体を装着した発光部を、特定の周期で点滅させた魚類忌避装置及び、該発光部と光ファイバーを組み合わせた魚類忌避装置であり、また点滅及び点灯を組み合わせた魚類を忌避するための魚類忌避装置に関する。
【背景技術】
【０００２】
従来、発光部に白熱電球や蛍光灯等を発光体として使用した方法が考えられたが、白熱電球や蛍光灯等の光には多数の光の波長が含まれているが、魚類忌避に必要なのは特定の波長であり、他の波長は不要である。すなわち不要な波長は無駄なエネルギーとして放出されている。また、白熱電球や蛍光灯等を使用した方法は、発熱と消費電力の問題の他に点滅周期の早さに限界があり、高速点滅を行う場合は機械的要素が必要で、装置が複雑になって大きくなり、信頼性及び設置場所や消費電力等に問題がある。また、魚類忌避の効果にも限界がある。
【発明の開示】
【発明が解決しようとする課題】
【０００３】
本発明は、発光部に半導体利用の発光体を使用することで必要な光の波長のみを使用出来るので効率がよく、発熱を抑えて省電力化を実現し、機械的要素なしで高速点滅出来、装置を小型化し、信頼性の向上と魚類忌避の効果を高める魚類忌避装置を提供することを目的としている。
【課題を解決するための手段】
【０００４】
本発明は、発光部に、発光ダイオード、レーザーダイオード、エレクトロルミネンス及び、液晶等の半導体利用の発光体を少なくとも１つ設け、この発光部を電子回路や電気回路等の制御装置により特定の周期で点滅させた魚類忌避装置である。あるいは、発光部の光を光ファイバーの先端から放射させた魚類忌避装置である。
【発明の効果】
【０００５】
本発明の各実施例は、以下に示す効果を得ることができ、魚類以外の貝類や動植物の忌避にも利用できる。
【０００６】
第一の実施例は、発光ダイオードを用いた魚類忌避装置で、点灯・消灯の動作が高速で歯切れのよい点滅光が得られる。これは魚類を忌避するために重要であり良い効果が得られ、装置を小型に出来、省電力で長寿命である。発光ダイオードの光りを明るく拡散さすとより大きな魚類忌避の効果が得られる。また、レーザーダイオードやエレクトロルミネンスや液晶を使用しても効果が得られる。
【０００７】
第二の実施例は、発光ダイオードとレーザーダイオードを混在させた魚類忌避装置で、発光ダイオードの光は近距離を、レーザーダイオードの光は遠距離をそれぞれカバーして広範囲の魚類を忌避出来る。発光ダイオードやレーザーダイオードの光りを明るく拡散さすとより大きな魚類忌避の効果が得られる。また、エレクトロルミネンスや液晶を用いても効果が得られる。
【０００８】
第三の実施例は、発光部の光を、導光材を通して該導光材の先端部分から発光させた魚類忌避装置で、電気部分を必要とする発光部と電気部分を必要としない発光体、すなわち導光材を組み合わせる事で、該発光体を防水や防湿からの保護を必要とせずに海中や水中及び他の液体の中及び、高温多湿の中でも簡単に使用出来る。発光部の発光ダイオードやレーザーダイオードの光りを明るく拡散さすとより大きな効果が得られる。発光ダイオードやレーザーダイオードの他にエレクトロルミネンスや液晶を用いても効果が得られる。導光材には光ファイバーの他に、例えば、ガラスやアクリル樹脂等を用いても効果が得られる。
【発明を実施するための最良の形態】
【０００９】
発光部の光は、正面方向に直進性及び、側面方向に拡散性を持つ形態がよく、例えば、光が効率よく拡散発光する発光ダイオードであるエクセルライト（本発明の出願人の一人が出願。整理番号ＰＬＥＤ００１、受付番号２９９０５９００３６４、出願番号は特願平１１−１２４６９５及び、整理番号ＰＬＥＤ００２、受付番号５０２００８３５９０７、出願番号は特願２００２−１６８１２７）を使用するか、通常のタイプの発光ダイオードやレーザーダイオードやエレクトロルミネンス（別称をＥＬという）または液晶などを使用してもよいが、この場合は、発光部の光が、カバーやキャップ等を使用して拡散する手段と取ると最良の形態が得られる。また、点滅する特定の周期は、１秒間に０．１ヘルツから２０ヘルツ、あるいは、点灯のみの発光部又は発光体と１秒間に０．１ヘルツから２０ヘルツの点滅の発光部又は発光体との混在が最良の形態である。
【実施例】
【００１０】
第一の実施例は、図１に示したように、発光部１に、光が効率よく拡散発光する発光ダイオード２であるエクセルライトのタイプ５２を、発光体として少なくとも一つ装着している。この発光部１は電線３を経由して制御装置４により特定の周期で点滅する。制御装置４は電線５を経由して外部より交流１００Ｖが供給されている。エクセルライトのタイプ５２の代わりに、タイプ３やタイプ５など、他のタイプのエクセルライトや通常のタイプの発光ダイオードやレーザーダイオードやエレクトロルミネンス（別称をＥＬという）または液晶を用いてもよい。
第二の実施例は、図２に示したように、発光部６に、光が効率よく拡散発光する発光ダイオード７であるエクセルライトのタイプ３とレーザーダイオード８を発光体として混在させて装着している。この発光部６は電線３を経由して制御装置４により特定の周期で点滅する。制御装置４は電線５を経由して外部より交流１００Ｖが供給されている。発光ダイオード７及びレーザーダイオード８の混在のさせ方は限定しない。エクセルライトのタイプ３の代わりに、タイプ１やタイプ５１など、他のタイプのエクセルライトや通常のタイプの発光ダイオードやレーザーダイオードやエレクトロルミネンスまたは液晶と混在させてもよい。
第三の実施例は、図３に示したように、発光部１に、光が効率よく拡散発光する発光ダイオード２であるエクセルライトのタイプ５２を、発光体として少なくとも一つ装着している。この発光部１の光は、導光材の一種である光ファイバー９を経由して該光ファイバー９の先端部分１０から放射する。この発光部１は電線３を経由して制御装置４により特定の周期で点滅する。従って、先端部分１０から放射される光も発光部１と同様に特定の周期で点滅する。制御装置４は電線５を経由して外部より交流１００Ｖが供給されている。導光材は光ファイバー９に限定するものではなく、ガラスやアクリル樹脂でもよく、その形状及び使用数量も限定されない。導光材の先端部分１０の形状は限定しない。また、該先端部分１０に光拡散のための加工やキャップ等を装着してもよい。導光材から放射される光は、導光材の先端部分１０以外の部分（例えば、側面や側面と先端）でもよい。エクセルライトのタイプ５２の代わりに、タイプ５１やタイプ３など、他のタイプのエクセルライトや通常のタイプの発光ダイオードやレーザーダイオードやエレクトロルミネンスまたは液晶を用いてもよい。
【００１１】
上述の各実施例の、発光部１や発光部６及び発光体の形状、材質、大きさ及び色等は限定するものではなく、発光体の発光色や明るさを限定するものでもない。発光部１または発光部６と制御装置４が一体の場合もあり、また、外部より供給される電力、すなわち電源は直流の場合も有り、発光部１または発光部６と制御装置４と電源が一体の場合もある。発光部１や発光部６の発光体の光り方は、点滅と点灯のみの光が混在していてもよい。半導体利用の発光体と従来からの明かりである電球、蛍光灯あるいはネオン等と組み合わせてもよい。
【産業上の利用可能性】
【００１２】
海、川、池等で使用の場合は、取水口に魚類が吸い込まれる事を防止するための魚類忌避。海洋牧場や養殖場における魚類忌避。陸上で使用の場合は、不要な動植物を忌避する。
忌避する魚類や動植物を傷つけないので、環境保護にも利用できる。
【図面の簡単な説明】
【００１３】
【図１】発光体に発光ダイオードを使用した発光部の本発明の側面図である。
【図２】発光体に発光ダイオード及びレーザーダイオードを使用した発光部の本発明の側面図である。
【図３】発光体に発光ダイオードを使用した発光部と導光材に光ファイバーを使用し、これらを組み合わせた本発明の側面図である。
【符号の説明】
【００１４】
１    発光部
２    発光ダイオード
３    電線
４    制御装置
５    電線
６    発光部
７    発光ダイオード
８    レーザーダイオード
９    光ファイバー
１０  光ファイバー先端部分
【図１】
2005210958.tif 000003
【図２】
2005210958.tif 000004
【図３】
2005210958.tif 000005